(57)【要約】【課題】  剛性及び組立精度を維持しながら、分割された部材を枠体状に連結してフロントパネルユニットを構成でき、又、光学フィルタの押さえ部材を不要としてコストを低減できる薄型表示装置を提供することを目的とする。【解決手段】  剛性の高いアルミ押出材からなるトップフレーム９ａとボトムフレーム９ｂ及び前記サイドフレーム１０ａ及びサイドフレーム１０ｂとを板金からなるコーナージョイント１１により枠体状に連結し、これに樹脂材からなるトップデコレーションパネル７、ボトムデコレーションパネル８及びサイドデコレーションパネル１３ａ及び１３ｂを、光学フィルタ６を挟持するように装着する。【選択図】図３
2006267755.tif 000002
【特許請求の範囲】
【請求項１】
分割された金属性フレームを枠体状に連結し、連結された枠体前面側から光学フィルタを装着するとともに、樹脂材からなり夫々分割形成されたパネルを前記光学フィルタを挟持するようにして前記枠体に固着することによりフロントパネルユニット構成し、同フロントパネルユニットにリアパネルを装着して外郭筐体を構成することを特徴とする薄型表示装置。
【請求項２】
前記金属性フレームが、金属からなる部材により夫々連結されてなることを特徴とする請求項１に記載の薄型表示装置。
【発明の詳細な説明】
【技術分野】
【０００１】
本発明は、ＰＤＰ（プラズマディスプレイパネル）等の薄型表示装置に係わり、より詳細には筐体を構成するフロントパネルの構造に関する。
【背景技術】
【０００２】
ＰＤＰ（プラズマディスプレイパネル）あるいは液晶等を用いた薄型表示装置の画面サイズは近年増々大型化してきており、４０インチ以上が一般的となってきている。これらを構成する筐体は主に、表示画面のための開口を有する枠体状に形成されたフロントパネルと、同フロントパネルに取付られる前面が開放されたリアパネルとからなり、その内部にはＰＤＰ及び映像信号を送出する映像信号処理基板等が内蔵され、又、前記ＰＤＰの前面側となるフロントパネルには、保護板としての光学フィルタが装着されるようになっている。  
【０００３】
前記フロントパネルは、通常ポリエチレンあるいはポリスチレン等の樹脂材により枠体状に一体成型されるが、表示画面サイズが４０インチ以上の大口径となると、これに伴い樹脂成型を行う金型が大型化し、金型費用が増大するとともに、樹脂成型の難易度が増し不良品の発生頻度が高くなるというような問題があった。又、樹脂材により形成されたフロントパネル４０は大型化に伴い寸法精度が低下するとともに、樹脂材の膨張、収縮により捩れ、歪み等の変形を生じ易いというような問題を抱えていた。
【０００４】
上記したような問題点を回避するため、例えば図６（Ａ）で示すように、フロントパネルを、剛性の高いアルミ押出材からなるトップフレーム３２ａとボトムフレーム３２ｂ及び左右一対のサイドフレーム３３ａ及び３３ｂとから４分割して構成し、これらを接続金具３４により連結して枠体状に形成し、これに図６（Ｂ）の断面図で示すように、前面が開放されたリアパネル３５を被着するようにして外郭筐体を構成することにより部材の寸法精度及び組立品の組立精度を維持する一方、前記サイドフレーム３３ｂ及び他のフレームに平板状の光学フィルタ３１を挟持するようにした技術が提示されている。（例えば、特許文献１参照）
【０００５】
しかしながら、アルミ押出材からなるトップフレーム及びサイドフレームは断面形状が一様にしか形成することができず、デザインの多様性に対応することができず、又、上記した構成では前記光学フィルタ３１を固定する別部材が必要とされていた。
【０００６】
デザインの多様性に対応するため、例えば図６（Ｃ）で示すように、フロントパネルを、樹脂材からなり、曲面形状を備えたトップフレーム４５とボトムフレーム４６及び、デコレーションパネル４７及び４８を被着した左右一対のサイドフレーム４３及び４４とに４分割して構成し意匠性を高めるとともに、光学フィルタ５１を第一押さえ部材４１、４２と第二押さえ部材５０とにより挟持するようにして固定する技術がある。
【０００７】
しかしながら、樹脂成型により長辺状に形成された前記トップフレーム４２ａあるいはサイドフレーム４３等には、金型及び部品寸法が小型化されたにもかかわらず樹脂材特有の歪み及び捩れ等の変形が生じ易く、例えば前記トップフレーム４２に接続金具により前記サイドフレーム４３を連結すると、これらの直角度の精度が低くなり、これに他部材の前記ボトムフレーム４２等を取付けようとすると、螺子孔のズレ等が発生して容易に組付けることができず組立作業性が低下するという新たな問題が発生していた。又、組立工程において枠体状に組立てられたフロントパネルになんらかの外力、衝撃等が加わると、剛性が低いために菱形状に変形を生じてしまい、薄型表示装置の最終組立精度に影響を与えるというような問題があった。又、前記光学フィルタ５１は、上記した例と同様に、これを後面側から固定する押さえ部材５０を複数要し、コスト上昇の要因となっていた。
【０００８】
【特許文献１】特開２００４−１２５６０号（２頁、図１）
【発明の開示】
【発明が解決しようとする課題】
【０００９】
本発明は、上記問題点に鑑み、剛性及び組立精度を維持しながら、分割された部材を枠体状に接続してフロントパネルを形成でき、且つ、光学フィルタを固定する押さえ部材を不要としてコストを低減させた薄型表示装置を提供することを目的とする。
【課題を解決するための手段】
【００１０】
本発明は、分割された金属性フレームを枠体状に連結し、連結された枠体前面側から光学フィルタを装着するとともに、樹脂材からなり夫々分割形成されたパネルを前記光学フィルタを挟持するようにして前記枠体に固着することによりフロントパネルユニットを構成し、同フロントパネルユニットにリアパネルを装着して外郭筐体を構成する。又、前記金属性フレームが、金属からなる部材により夫々連結された構成となっている。
【発明の効果】
【００１１】
本発明によると、剛性の高いアルミ押出材からなるトップフレームとボトムフレーム及び左右一対のサイドフレームとを、板金からなるコーナージョイントにより枠体状に連結し、前記トップフレーム、ボトムフレーム及びサイドフレームとに光学フィルタを前面側から装着し、樹脂材から形成されるトップデコレーションパネル及びボトムデコレーションパネルで挟持するようにしてフロントパネルユニットを構成することにより、同フロントパネルユニット組立時の組立精度を維持して、螺子孔等のズレを防止し作業性を向上させるとともに、外力あるいは衝撃等が作用したとしても変形を生じ難いフロントパネルユニットを備えるとともに、光学フィルタを後面側から固定する複数の押さえ部材が不要となってコストを低減することができる薄型表示装置とすることができるようになっている。
【発明を実施するための最良の形態】
【００１２】
以下、本発明の実施の形態を、添付図面に基づいた実施例として詳細に説明する。
【実施例１】
【００１３】
図１は本発明による薄型表示装置を示す断面図であり、図２はフロントパネルユニットの正面図であり、図３はその分解斜視図である。又、図４は要部斜視図であり、図５は組立手順を示す斜視図である。
【００１４】
本発明による薄型表示装置１は、図１の断面図で示すように、枠体状に形成されたフロントパネルユニット２と、前面が開放された箱体状に形成され前記フロントパネルユニット２に取付けられる、板金からなるリアパネル３とで外郭となる筐体を構成し、前記フロントパネルユニット２の開放された前面に板状の透明部材からなる光学フィルタ６を装着している。前記筐体内には電子部品を搭載した映像信号処理基板５と、同映像信号処理基板５から送出された信号を基にプラズマ放電により映像を前記光学フィルタ６を透過させて映しだすプラズマディスプレイパネル４が内蔵されている。
【００１５】
前記フロントパネルユニット２は、図２の正面図及び図３の分解斜視図で示すように、剛性に優れたアルミ押出材からなり、断面が略Ｚ字状に形成されたトップフレーム９ａ及びボトムフレーム９ｂと、同様に剛性に優れたアルミ押出材からなり断面円弧状に形成された左右一対のサイドフレーム１０ａ及びサイドフレーム１０ｂと、これらを連結する、板金からなる複数のコーナージョイント１１と、前記トップフレーム９ａ及びボトムフレーム９ｂに装着される、樹脂材からなるトップデコレーションパネル７及びボトムデコレーションパネル８及び前記サイドフレーム１０ａ及びサイドフレーム１０ｂに被着される、樹脂材からなるサイドデコレーションパネル１３ａ及び１３ｂと、前記光学フィルタ６とからなっている。
【００１６】
前記トップフレーム９ａ及びボトムフレーム９ｂと前記サイドフレーム１０ａ及びサイドフレーム１０ｂとは、上記したようにアルミ押出材からなり、同アルミ押出材は、断面形状を一側に開口した金型から高温となったアルミ溶融材を長尺状に押し出し、押出された素材が冷却した後、所定の寸法で切断することにより得られるようになっている。アルミ押出材はポリエチレンあるいはポリスチレン等の射出成型により形成される樹脂材に比較し、引張強度、曲強度、捩強度等の剛性値が数倍上回るようになっており、これらを枠体状に連結すると充分な強度を得ることができるようになっている。
【００１７】
前記トップフレーム９ａ及びボトムフレーム９ｂには、樹脂材からなる前記トップデコレーションパネル７及びボトムデコレーションパネル８を装着するための螺子挿通孔が両側に穿設され、又、複数の係止孔が穿設されている。前記サイドフレーム１０ａ及びサイドフレーム１０ｂは断面が略円弧状に形成され、その内側には、板金からなる前記コーナージョイント１１の一端を挟持するためのリブが長手方向に沿って突設されるとともに、前記サイドフレーム１０ａには操作ボタン及び調整ボタンを前面側に突出させるためのボタン孔が複数箇所穿設されている。
【００１８】
前記コーナージョイント１１は亜鉛メッキ鋼板等をプレス加工により打抜処理し、その後、ベンド加工した二種類の板金をスポット溶接により接合して略Ｌ字状に形成され、その両端部には、前記トップフレーム９ａあるいはサイドフレーム１０ａ等を固定するための螺子挿通孔が穿設されている。又、同コーナージョイント１１は前記光学フィルタ６の四隅の角部を支持し、外力、振動等が薄型表示装置に作用したとしても、前記光学フィルタ６のズレ等が発生しないよう防止する機能も併せて有している。更に前記光学フィルタ６の四隅部を支持する板金を変更することにより、薄型表示装置の多種類の画面サイズに対応することができるようになっている。
【００１９】
前記トップデコレーションパネル７及びボトムデコレーションパネル８は、ポリエチレンあるいはポリスチレン等の樹脂材をコアとキャビテイとからなる金型内に射出するインジェクション成型（射出成型）により、両端部がやや湾曲状となった長尺状に形成され、前記トップデコレーションパネル７及びボトムデコレーションパネル８とは、断面が相対向する略Ｌ字状となっている。又、その内壁面には前記トップフレーム９ａ及びボトムフレーム９ｂに穿設された螺子挿通孔に対応する螺子孔を備えたボス７ａ及びボス８ａが両側に夫々複数突設されるとともに、係止孔に係止する係止爪７ｂ及び８ｂが複数突設されている。又、前記サイドデコレーションパネル１３ａ及び１３ｂの上下には、螺子挿通孔を穿設したボスが内壁面に突設されており、同ボスに螺子を前面側から挿通させ、前記サイドフレーム１０ａ及び１０ｂに穿設された螺子孔に螺合させることにより前記サイドデコレーションパネル１３ａ及び１３ｂは固定されるとともに、前記光学フィルタ６の前面側縁を押さえるようになっている。
【００２０】
次に、組立手順について説明する。図４で示すように、まず前記トップフレーム９ａの両端部に前記コーナージョイント１１を取付ける。同コーナージョイント１１の一端上辺部を、断面略Ｚ字状に形成され段差部を有する前記トップフレーム９ａの段差部下面に押し当てながら螺子挿通孔１１ａを螺子孔に一致させる。この状態で、螺子２０を前記螺子挿通孔１１ａに挿入するとともに螺子孔に螺合する。
【００２１】
続いて、前記トップフレーム９ａの左右に固着された前記コーナージョイント１１に前記サイドフレーム１０ａ及びサイドフレーム１０ｂを夫々取付ける。前記コーナージョイント１１の他端を前記サイドフレーム１０ａ及びサイドフレーム１０ｂの内壁面とリブとの間に挟持されるように挿入し、螺子２０にてリブと螺着して連結する。
【００２２】
アルミ押出材からなる剛性が高い前記トップフレーム９ａに、板金からなる前記コーナージョイント１１を介して前記サイドフレーム１０ａ及びサイドフレーム１０ｂを連結することにより前記トップフレーム９ａと前記サイドフレーム１０ａとの直角度及び前記トップフレーム９ａと前記サイドフレーム１０ｂとの直角度が高精度に維持されるようになっている。
【００２３】
次に、前記サイドフレーム１０ａ及びサイドフレーム１０ｂに前記コーナージョイント１１を夫々固着し、これらに前記ボトムフレーム９ｂの両端部を、上記トップフレーム９ａと同様に螺子２０にて螺着することにより枠体が形成されるようになっている。
【００２４】
次に、図５で示すように、前記コーナージョイント１１により組上げられた枠体の前面側から前記光学フィルタ６を装着し、この状態で、樹脂材からなる前記トップデコレーションパネル７を前記光学フィルタ６の上端縁を前記枠体と挟持するように被着させ、螺子と前記係止爪とにより前記トップフレーム９ａに固着する。同様にして前記ボトムデコレーションパネル８を前記ボトムフレーム９ｂに固着する。
【００２５】
最後に、樹脂材からなるサイドデコレーションパネル１３ａ及び１３ｂを、前記トップデコレーションパネル７及び前記ボトムデコレーションパネル８の両側に形成された螺子孔を覆隠すとともに、前記光学フィルタ６の側縁を押さえるようにして前記サイドフレーム１０ａ及びサイドフレーム１０ｂに螺着させることによりフロントパネルユニット２が完成するようになっている。尚、螺子孔が視認できないように螺子孔にはカバーが被着されるようになっている。
【００２６】
剛性の高い素材からなる前記トップフレーム９ａとボトムフレーム９ｂ及び前記サイドフレーム１０ａ及びサイドフレーム１０ｂとを主として前記フロントパネルユニット２を枠体状に形成することにより、組立時の組立精度を維持して作業性が向上する一方、外力あるいは振動が作用したとしても変形を生じ難いフロントパネルユニットとすることができるようになっている。
【００２７】
又、前記光学フィルタ６をアルミ押出材からなる枠体と、樹脂材からなる夫々のパネルとの間に挟持して設けることにより、従来のように前記光学フィルタ６を後面側から固定する複数の押さえ部材が不要となって作業工数及びコストを低減でき、又、メンテナンス時には、薄型表示装置の前面側から樹脂材からなる夫々のパネルを外すことにより容易に前記光学フィルタ６を抜脱することができるようになっており、メンテナンス性を高めることができるようになっている。
【００２８】
組上げられた前記フロントパネルユニット２に、前記プラズマディスプレイパネル４及び前記映像信号処理基板５を固定した前記リアパネル３を装着し、薄型表示装置１が完成するようになっている。
【図面の簡単な説明】
【００２９】
【図１】本発明による薄型表示装置を示す断面図である。
【図２】フロントパネルユニットを示す正面図である。
【図３】フロントパネルユニットを示す分解斜視図である。
【図４】フロントパネルユニットの要部斜視図である。
【図５】フロントパネルユニットの組立手順を示す分解斜視図である。
【図６】（Ａ）は従来のフロントパネルの一例を夫々示す正面図であり、（Ｂ）はその断面図である。又、（Ｃ）は他の従来例を示す斜視図である。
【符号の説明】
【００３０】
１  薄型表示装置
２  フロントパネルユニット
３  リアパネル
４  プラズマディスプレイパネル
５  映像信号処理基板
６  光学フィルタ
７  トップデコレーションパネル
７ａ  ボス
７ｂ  係止爪
８  ボトムデコレーションパネル
８ａ  ボス
８ｂ  係止爪
９ａ  トップフレーム
９ｂ  ボトムフレーム
１０ａ、１０ｂ  サイドフレーム
１１  コーナージョイント
１３ａ、１３ｂ  サイドデコレーションパネル
２０  螺子
【図１】
2006267755.tif 000003
【図２】
2006267755.tif 000004
【図３】
2006267755.tif 000005
【図４】
2006267755.tif 000006
【図５】
2006267755.tif 000007
【図６】
2006267755.tif 000008